【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
口内の１つまたは複数の歯を洗浄するシステムであって、
前記口内に液体を送達するように構成された液体入口と、
先端部分を有する活性エネルギー出口を備えたハンドピースであって、前記先端部分が、前記口内に挿入されるサイズおよび形状であり、前記活性エネルギー出口が、前記口が前記ハンドピースの周囲で閉じられたとき、前記１つまたは複数の歯の外面に形成された沈着物を実質的に取り除くために液体を通してエネルギーを伝達するように構成されている、ハンドピースと、
を具備するシステム。
【請求項２】
前記活性エネルギー出口が圧力波発生器を備える、請求項１に記載のシステム。
【請求項３】
前記圧力波発生器が液体ジェット装置を含む、請求項２に記載のシステム。
【請求項４】
前記活性エネルギー出口が一対の間隔を空けて配置されたプレートを備え、各プレートが、エネルギーを放出するように構成された複数のオリフィスを備える、請求項１に記載のシステム。
【請求項５】
各プレートが、上顎弓または下顎弓に沿う形状である、請求項４に記載のシステム。
【請求項６】
各プレートが実質的に平面である、請求項４に記載のシステム。
【請求項７】
前記ハンドピースが液体出口をさらに備える、請求項１に記載のシステム。
【請求項８】
前記液体出口が、前記口内の液体の循環を促進するように構成されている、請求項１に記載のシステム。
【請求項９】
前記活性エネルギー出口が、前記口に前記液体が少なくとも部分的に充填されたときに沈着物を実質的に取り除くために十分な音響エネルギーを送達するように構成されている、請求項１に記載のシステム。
【請求項１０】
哺乳動物の口内の１つもしくは複数の歯または歯肉組織の外面から歯の沈着物を除去す
るシステムであって、
前記口内に挿入されるサイズおよび形状のマウスピースであって、１つまたは複数の流体ポートを含むマウスピースと、
前記マウスピースと流体連通している流体運動源であって、前記１つまたは複数のポートを介して前記口内に液体を送達しかつ前記口内から液体を除去するように構成された流体運動源と、
を具備し、
前記流体運動源が、可変周波数で前記１つまたは複数のポートを介する前記口内へのかつ口内からの液体の往復振動移動をもたらすように動作可能である、システム。
【請求項１１】
前記流体運動源が、第１治療段階中に第１周波数範囲でかつ第２治療段階中に第２周波数範囲で、前記口内へのかつ前記口内からの液体の往復振動移動をもたらすように構成されている、請求項１０に記載のシステム。
【請求項１２】
前記第２周波数範囲が、前記第１周波数範囲より高い周波数を含む、請求項１１に記載のシステム。
【請求項１３】
前記第１治療段階中に前記口内にかつ前記口内から移動する液体の体積が、前記第２治療段階中に前記口内にかつ前記口内から移動する液体の体積より大きい、請求項１２に記載のシステム。
【請求項１４】
前記第１治療段階が、前記第２治療段階の前に行われる、請求項１３に記載のシステム。
【請求項１５】
前記第１運動源が、前記第１周波数範囲の第１周波数から前記第２周波数範囲の第２周波数まで経時的に増大する周波数で、前記口内へのかつ口内からの液体の往復振動移動をもたらすように構成されている、請求項１２に記載のシステム。
【請求項１６】
前記流体運動源が、前記口内へのかつ口内からの液体の前記往復振動移動の周波数をランダムに変更するように構成されている、請求項１２に記載のシステム。
【請求項１７】
前記第１治療段階が、前記第２治療段階に少なくとも部分的に重なっている、請求項１２に記載のシステム。
【請求項１８】
前記第１周波数範囲が、約０．１Ｈｚから約２０ｋＨｚの範囲の周波数を含む、請求項１２に記載のシステム。
【請求項１９】
前記第２周波数範囲が、約２０ｋＨｚから約１，０００ｋＨｚの範囲の周波数を含む、請求項１２に記載のシステム。
【請求項２０】
前記マウスピースが、上顎弓または下顎弓に沿う形状である、請求項１０に記載のシステム。
【請求項２１】
前記マウスピースが、前記流体運動源を作動させるように構成されたスイッチを備える、請求項１０に記載のシステム。
【請求項２２】
前記スイッチが、前記哺乳動物が前記マウスピースを噛むときに前記流体運動源を作動させるように構成されている、請求項２１に記載のシステム。
【請求項２３】
流体駆動装置と、前記流体駆動装置の動作を制御するように構成された制御機構とをさ
らに具備する、請求項１０に記載のシステム。
【請求項２４】
前記制御機構が、洗浄処置中に前記口内に送達されかつ前記口内から除去される液体の量を均衡させるように構成されている、請求項２３に記載のシステム。
【請求項２５】
前記制御機構が、前記治療処置の始動持に前記口内を液体で少なくとも部分的に充填するように構成されている、請求項２４に記載のシステム。
【請求項２６】
前記口内の前記液体の圧力をモニタリングするように構成されたセンサをさらに具備する、請求項２５に記載のシステム。
【請求項２７】
前記制御機構が、前記モニタリングされた圧力が前記哺乳動物に安全でないレベルに達すると、前記流体運動源を遮断するように構成されている。請求項２６に記載のシステム。
【請求項２８】
哺乳動物の口内の歯を洗浄するシステムであって、
流体ポンプと、
前記流体ポンプと連通する流体貯蔵器と、
前記流体ポンプと連通するマウスピースであって、治療流体を、前記口を少なくとも部分的に充填するように送達することができる流体ポートを含む、マウスピースと、
前記マウスピースに結合されかつ前記口内に配置されるように構成された圧力波発生器と、
を具備し、
前記流体ポンプが、口内の治療流体の往復振動移動をもたらすように動作可能であり、往復振動移動の体積が可変であり、
前記圧力波発生器が、前記流体ポンプが前記口内の前記治療流体の第１体積の往復振動移動をもたらすときに、第１周波数範囲の１つまたは複数の周波数を生成し、前記流体ポンプが前記口内の前記治療流体の第２体積の往復振動移動をもたらすときに、第２周波数範囲の１つまたは複数の周波数を生成するように構成されている、システム。
【請求項２９】
前記往復振動移動の第１体積が、前記往復振動移動の第２体積より大きく、前記第２周波数範囲が前記第１周波数範囲より高い周波数である、請求項２８に記載のシステム。
【請求項３０】
前記往復振動移動の第１体積が、前記往復振動移動の第２体積より大きい、請求項２８に記載のシステム。
【請求項３１】
前記第２周波数範囲が、前記第１周波数範囲より高い周波数である、請求項２８に記載のシステム。
【請求項３２】
前記流体ポンプが、前記第２体積の往復振動移動をもたらす前に前記第１体積の往復振動移動をもたらすように動作可能である、請求項２８に記載のシステム。
【請求項３３】
前記圧力波発生器が、前記口内に伝播する前記周波数を、前記第１周波数範囲内にある周波数と前記第２周波数範囲内にある周波数との間でランダムに変化させるように構成されている、請求項２８に記載のシステム。
【請求項３４】
前記第１周波数範囲が、前記第２周波数範囲の帯域幅より小さい帯域幅を有する、請求項２８に記載のシステム。
【請求項３５】
前記第１周波数範囲が約０．１Ｈｚから約１００Ｈｚである、請求項２８に記載のシス
テム。
【請求項３６】
前記第１周波数範囲が約０．１Ｈｚから約５０Ｈｚの範囲である、請求項３５に記載のシステム。
【請求項３７】
前記第２周波数範囲が約１０ｋＨｚから約１０００ｋＨｚである、請求項２８に記載のシステム。
【請求項３８】
前記第２周波数範囲が約１００ｋＨｚから約５００ｋＨｚである、請求項３７に記載のシステム。
【請求項３９】
１つまたは複数の歯を洗浄する装置であって、
歯の上または近くの治療部位に配置されるように構成された流体保持器であって、前記歯を封止することなく前記流体保持器と前記治療部位との間に形成された空間内に流体を少なくとも部分的に保持するようにさらに構成された流体保持器と、
前記歯または歯肉組織の外面に形成された沈着物を実質的に取り除くために前記保持された流体内に圧力波を発生させるように構成された圧力波発生器と、
を具備する装置。
【請求項４０】
前記圧力波発生器が液体ジェット装置を含む、請求項３９に記載の装置。
【請求項４１】
前記流体保持器が、前記歯の側面の少なくとも一部にわたってあてがわれるサイズおよび形状であり、前記側面および隣接する歯肉組織と接触するように構成されている、請求項３９に記載の装置。
【請求項４２】
前記流体保持器が、前記歯と前記歯肉組織との間の歯肉ポケットにわたってあてがわれるように構成され、前記圧力波発生器が、前記歯肉ポケットから沈着物を実質的に取り除くために十分な圧力波を発生させるように構成されている、請求項４１に記載の装置。
【請求項４３】
前記流体保持器が、１つまたは複数の歯の周囲にあてがわれるように構成された締付具を備え、前記締付具が流体のプールを保持するように構成された貯蔵器に結合されている、請求項３９に記載の装置。
【請求項４４】
前記圧力波発生器が、前記沈着物を実質的に取り除くときに前記流体のプール内に少なくとも部分的に浸漬されるように構成されている、請求項４３に記載の装置。
【請求項４５】
前記圧力波発生器が、ステイン、歯石、う蝕、生体膜、歯垢および歯石の１つまたは複数を含む沈着物を取り除くために十分な音響出力を発生させるように構成されている、請求項３９に記載の装置。
【請求項４６】
前記治療部位に治療流体を供給するように構成された流体入口をさらに具備する、請求項３９に記載の装置。
【請求項４７】
前記治療部位から廃棄流体を除去するように構成された流体出口をさらに具備する、請求項３９に記載の装置。
【請求項４８】
前記装置内の圧力を調整するように構成された通気孔をさらに具備する、請求項３９に記載の装置。
【請求項４９】
ハンドピースをさらに具備し、前記圧力波発生器が、前記ハンドピースの先端部分に配
置されている、請求項３９に記載の装置。
【請求項５０】
前記圧力波発生器が、複数の周波数を有する圧力波を生成するように構成されている、請求項３９に記載の装置。
【請求項５１】
前記複数の周波数が、少なくとも１つの連続した周波数範囲を含む、請求項５０に記載の装置。
【請求項５２】
前記圧力波発生器が、少なくとも１Ｈｚから１００ｋＨｚの範囲の周波数を有する圧力波を生成するように構成されている、請求項５０に記載の装置。
【請求項５３】
口内の歯を洗浄する装置であって、
ガイドチューブであって、先端部分と、液体ジェットを前記ガイドチューブの前記先端部分に向けるように構成されたチャネルとを有し、前記ガイドチューブの前記先端部分が、前記歯肉組織と前記歯との間に配置されるサイズおよび形状である、ガイドチューブと、
前記ガイドチューブの前記先端部分の近くに配置された衝突面であって、それにより、前記液体ジェットが前記歯の近くの治療部位の近くの前記衝突面にぶつかると、前記歯または近くの歯肉組織に形成された沈着物を実質的に取り除くために十分な音響エネルギーが発生する、衝突面と、
を具備する装置。
【請求項５４】
ハンドピースをさらに具備し、前記ガイドチューブが前記ハンドピースに結合されている、請求項５３に記載の装置。
【請求項５５】
前記ガイドチューブに結合された流体保持器をさらに具備し、前記流体保持器が、前記歯と前記近くの歯肉組織との間の空間に流体を保持するように構成されている、請求項５３に記載の装置。
【請求項５６】
前記流体ジェットが脱気水を含む、請求項５３に記載の装置。
【請求項５７】
前記ガイドチューブを下って突出するコヒーレントな平行液体ジェットを生成するように構成されたノズルをさらに具備する、請求項５３に記載の装置。
【請求項５８】
歯科用洗浄システムであって、
第１プレートと前記第１プレートから間隔を空けて配置された第２プレートとを含む活性エネルギー出口であって、前記第１プレートおよび前記第２プレートの各々が複数のオリフィスを有する、活性エネルギー出口
を具備し、
前記オリフィスの各々が、歯または歯肉組織に形成された沈着物を、前記歯または前記歯肉組織が前記第１プレートと前記第２プレートとの間に配置されたときに実質的に取り除くために十分なエネルギーを放出するように構成されているシステム。
【請求項５９】
前記オリフィスの各々が、前記沈着物を実質的に取り除くために十分な圧力波を発生させることができる、請求項５８に記載のシステム。
【請求項６０】
前記活性エネルギー出口が、液体ジェットを、前記複数のオリフィスを通るように向けるように構成された液体ジェット装置を備える、請求項５８に記載のシステム。
【請求項６１】
前記第１プレートおよび前記第２プレートを結合するコネクタをさらに具備し、前記コ
ネクタが、前記第１プレートと前記第２プレートとの間の離隔距離を維持するように構成され、前記離隔距離が少なくとも治療される歯の同様の幅である、請求項５８に記載のシステム。
【請求項６２】
前記第１プレートおよび前記第２プレートが実質的に平面である、請求項５８に記載のシステム。
【請求項６３】
前記第１プレートおよび前記第２プレートが、上顎弓または下顎弓に沿う形状である、請求項５８に記載のシステム。